(57)【要約】      （修正有）【課題】簡単な工程により取り付け長が高精度に設計基準値となるようにシャフトシール装置を組み付けることのできるシャフトシール装置の組み付け方法を提供する。【解決手段】端面シール１０４をシャフト１０２の所定位置に設置するとともに、シャフト１０２上において固定環１０３が組み付けられる正規位置から端面シール１０４側に所定の調整距離だけ離れた固定環１０３押し込み位置を規定するスペーサー１０７をシャフト１０２に設置する第１工程と、固定環１０３をハウジング１０１に挿入し、固定環１０３の摺動面がスペーサー１０７に突き当たるまで固定環１０３を端面シール１０４方向に押し込む第２工程と、固定環１０３を調整距離だけ端面シール１０４から離れる方向に戻す第３工程とを有する。【選択図】  図１
2008014418.tif 000002
【特許請求の範囲】
【請求項１】
シャフトが通過するハウジングに固定される固定環と、前記シャフトに固定される端面シールとを有し、前記固定環の摺動面に前記端面シールの突出リップを摺動可能に密接させることにより前記シャフトに沿って被密封流体をシールするシャフトシール装置の組み付け方法であって、
前記端面シールを前記シャフトの所定位置に設置するとともに、当該シャフト上において前記固定環が組み付けられる正規位置から前記端面シール側に所定の調整距離だけ離れた固定環押し込み位置を規定するスペーサーを前記シャフトに設置する第１工程と、
前記固定環を前記ハウジングに挿入し、前記固定環の摺動面が前記スペーサーに突き当たるまで前記固定環を前記端面シール方向に押し込む第２工程と、
前記固定環を前記調整距離だけ前記端面シールから離れる方向に戻す第３工程と
を有するシャフトシール装置の組み付け方法。
【請求項２】
前記第２工程においては、前記ハウジングに対して前記シャフトの軸方向に移動及び固定が自在なシール固定部品を介して、前記固定環を前記端面シール方向に押し込み、
前記第３工程においては、前記シール固定部品を前記調整距離だけ前記端面シールから離れる方向に戻した後、固定側シール部品を前記端面シールから離れる方向で前記シール固定部品に当接するまで押し戻すことにより、前記固定環を前記調整距離だけ前記端面シールから離れる方向に戻す
ことを特徴とする請求項１に記載のシャフトシール装置の組み付け方法。
【請求項３】
前記第３工程においては、前記被密封流体が収容される空間内の圧力を上げることにより、前記摺動面に印加される圧力荷重により前記固定側シール部品を前記シール固定部品に当接するまで押し戻すことを特徴とする請求項２に記載のシャフトシール装置の組み付け方法。
【請求項４】
前記スペーサーは、前記シャフトの所定の基準面と前記固定環押し込み位置との距離に相当する長さを有し、前記端面シールの外周に嵌合する環状のスペーサーであって、
前記第１工程においては、
前記端面シール及び前記スペーサーを、順次、前記シャフトに嵌合させ、当該シャフトの前記基準面に突き当たるまで移動させることにより、あるいは、
前記スペーサーを前記端面シールの外周に嵌合して一体化した前記端面シール及び前記スペーサーを、前記シャフトに嵌合させ、当該シャフトの前記基準面に突き当たるまで移動させることにより、
前記端面シール及び前記スペーサーを前記シャフトに設置することを特徴とする請求項１〜３のいずれかに記載のシャフトシール装置の組み付け方法。
【請求項５】
前記スペーサーは前記端面シールの一部を突出させることにより当該端面シールと一体的に形成されたものであって、
前記第１工程においては、前記スペーサーが一体的に形成された前記端面シールを、前記シャフトに嵌合させ、当該シャフトの所定の基準面に突き当たるまで移動させることにより、前記端面シール及び前記スペーサーを前記シャフトに設置することを特徴とする請求項１〜３のいずれかに記載のシャフトシール装置の組み付け方法。
【請求項６】
シャフト及び当該シャフトを通過させるハウジングに設置されて、前記シャフトに沿って被密封流体をシールするシャフトシール装置であって、
前記ハウジングに密封固定される固定環と、
前記シャフトに密封固定され、前記固定環の摺動面に突出リップを摺動可能に密接させる端面シールと、
前記シャフト上において前記固定環が組み付けられる正規位置から前記端面シール側に所定の調整距離だけ離れた固定環押し込み位置を規定するスペーサーと
を有することを特徴とするシャフトシール装置。
【請求項７】
前記スペーサーは、前記シャフトの所定の基準面と、前記固定環押し込み位置との距離に相当する長さを有し、前記端面シールの外周に嵌合する環状のスペーサーであることを特徴とする請求項６に記載のシャフトシール装置。
【請求項８】
前記スペーサーは、前記端面シールと一体的に形成されていることを特徴とする請求項６に記載のシャフトシール装置。
【請求項９】
前記スペーサーは、前記摺動面と対向する側の環状の端面に切り欠き部が形成されていることを特徴とする請求項６〜８のいずれかに記載のシャフトシール装置。
【請求項１０】
前記ハウジングに対して前記シャフトの軸方向に移動及び固定が自在なシール固定部品であって、当該シャフトシール装置の組み付け時に前記固定環を前記固定環押し込み位置まで前記ハウジングに押し込み、その後前記調整距離だけ前記端面シールから離れる方向に戻されて前記固定環の設置位置を規定するシール固定部品
をさらに有することを特徴とする請求項６〜９のいずれかに記載のシャフトシール装置。
【請求項１１】
前記シール固定部品は、内側に係合切り欠き部を有することを特徴とする請求項１０に記載のシャフトシール装置。
【請求項１２】
前記シール固定部品は、少なくとも前記シャフトの軸方向の両端部において、前記ハウジングの内面に嵌合されるように形成されていることを特徴とする請求項１０又は１１に記載のシャフトシール装置。
【発明の詳細な説明】
【技術分野】
【０００１】
本発明は、例えば空調機用の圧縮機、ポンプ、原動機等の回転装置に適用して好適な、ハウジングとシャフトとの間の被密封流体をシールするシャフトシール装置の組み付け方法、及び、そのシャフトシール装置に関する。
【背景技術】
【０００２】
従来、例えば空調機用の圧縮機等の回転装置に適用されるシャフトシール装置（以下、単にシャフトシールと称する場合もある。）として、図９に示すような端面リップシールが開示されている（例えば、特許文献１参照）。
図９に示す端面リップシール９００は、回転装置のハウジング９０１に密封的に取り付けられる固定側の密封環（以下、固定環と称する。）９０３と、シャフト９０２に密接嵌合されて一体で回転するゴム材製の端面シール（以下、ゴム端面シールと称する。）９０４とを有し、ゴム端面シール９０４に形成される突出リップ９０５が固定環９０３の端面に対して外径方向へ傾斜して延在密接することにより密封摺動面が形成され、これにより、突出リップ９０５の外周部に存在する被密封流体Ｑ’が、固定環１０３より内径側、背面側の大気空間Ａ’へ漏洩するのを防止する構成となっている。
【特許文献１】特開２００３−２１４５４１号公報
【０００３】
このような構成の端面リップシール９００を組み付ける際には、ゴム端面シール９０４は、シャフト９０２の段差端面９０２ａに突き当てられる。すなわち、ゴム端面シール９０４の組み付け位置は、シャフト段差端面９０２ａが基準とされる。一方、ゴム端面シール９０４と対向して密封摺動面を形成する固定環９０３は、パッキン９０７，９０８、補強ケース９０９及びシールリップ９１０を構成部として有する固定側シール９０６を介して回転装置のハウジング９０１の段差端面９０１ａに突き当てられる。すなわち、固定環９０３の組み付け位置は、ハウジング段差端面９０１ａが基準とされる。
従って、固定環９０３とゴム端面シール９０４とを回転装置に組み付けた際の両部品間の軸方向距離（以下、シール取り付け長と称する。）Ｌ１は、回転装置のハウジング９０１とシャフト９０２との取り合い寸法（相対位置）に依存する。
【０００４】
ところで、このような構成の端面リップシール９００においては、固定環９０３とゴム端面シール９０４とを回転装置に組み付けた際のシール取り付け長Ｌ１がシール性能に大きく影響し、これを適切な長さにすることが重要である。
【０００５】
具体的には、ゴム端面シール９０４と固定環９０３とが離れると、突出リップ９０５の摺動面面積が小さくなって摺動面の負荷応力が大きくなるが、その離れ方が大きくなると、突出リップ９０５の摺動面面積が極端に小さくなって負荷応力が集中し、摺動面の過剰摩耗や突出リップ９０５の破損が発生する可能性がある。さらには、突出リップ９０５が固定環９０３の摺動面に対して十分に追随できない状態、あるいは届かない状態となり、いわゆる「シール面の開き」が発生する可能性が生じる。
【０００６】
また、反対に、ゴム端面シール９０４と固定環９０３とが近接すると、摺動面の直径が大きくなり、摺動面の相対すべり速度を増大させ、また、摺動面の受圧面積を増大させ、摺動面にかかる圧力による荷重を増大させ、さらに、突出リップ９０５の弾性反発力による摺動面荷重も大きくなる。その結果、摺動面温度の異常上昇や摺動面の過剰摩耗、さらには突出リップ９０５の破損が惹起される可能性が生じる。
【０００７】
すなわち、固定環９０３とゴム端面シール９０４との距離、すなわちシール取り付け長Ｌ１が所定の設計基準値より大きくずれた場合には、いずれも被密封流体Ｑ’の漏れに帰する不具合が発生する可能性が高くなり、このような端面リップシール９００について所望の性能を発揮させるためには、シール組み付け時において、シール取り付け長Ｌ１をできるだけ設計基準値に近い寸法に管理することが重要である。
【０００８】
一方で、前述したように、このような端面リップシール９００では、ゴム端面シール９０４がシャフト９０２に対して嵌合固定されているため、ゴム端面シール９０４がシャフト９０２上を軸方向に作動する構造、さらには、バネ等の弾発手段によって固定環９０３に対して押圧される構造を持たない。従って、シール取り付け長Ｌ１の許容公差は、固定環９０３の摺動面に対してゴム端面シール９０４の突出リップ９０５が弾性変形しながら追随できる範囲に制限される。換言すると、突出リップ９０５の長さにより制限される。
【０００９】
シール取り付け長Ｌ１の許容公差を拡大するために突出リップ９０５の長さを長くすることは、摺動面の直径、すなわち摺動面の相対すべり速度を増大させ、また、摺動面の受圧面積、すなわち摺動面にかかる圧力による荷重を増大させることになるため好ましくない。従って、突出リップ９０５の長さはできるだけ短くすることが設計上必要である。その結果、端面リップシール９００のシール取り付け長Ｌ１の許容公差は、例えばメカニカルシール等の端面シールと比較すると極めて小さい値に制限される。
【発明の開示】
【発明が解決しようとする課題】
【００１０】
従来のシャフトシール（例えば端面リップシール９００）の組み付け方法では、シール取り付け長（Ｌ１）を設計基準値通りに管理すること、すなわち許容公差内で組み付けることが非常に難しいという問題がある。
前述したように、従来の端面リップシール９００の組み付け方法においては、シール取り付け長Ｌ１は、回転装置のハウジング９０１とシャフト９０２との取り合い寸法（相対位置）に依存する。しかし、回転装置は、端面リップシール９００よりも構造体の寸法が大きく、かつ、通常はハウジング９０１やシャフト９０２以外にも多数の部品（ベアリング等）が使用される。そのため、ハウジング９０１とシャフト９０２との取り合い寸法の公差、すなわちばらつきはある程度の値となり、その結果、端面リップシール９００のシール取り付け長Ｌ１のばらつきもある程度の範囲となる。このばらつきの範囲を、前述したようなメカニカルシールと比較して極めて小さいようなごくわずかな範囲に抑えることは非常に困難である。
【００１１】
そのために従来は、端面リップシール９００を組み付ける前に、一度、回転装置を仮組みしてハウジング９０１とシャフト９０２との相対位置を計測し、次に、回転装置を分解して固定環９０３の取り付け基準面となるハウジング段差端面９０１ａあるいはゴム端面シール９０４の取り付け基準面となるシャフト段差端面９０２ａの一方あるいは両方に、計測した相対位置と設計基準値との差を修正するための、例えばシム、金属ワッシャー等の別部品を装着した上で、端面リップシール９００を組み付けて、再度回転装置を組み立てるというような方法を行っていた。
【００１２】
しかしそのような組み付け方法は、実質的に回転装置を２度組み立てることとなり作業が煩雑で工数が多くなり組み立て時間が長くなるという問題がある。また、装着する部品の寸法精度や再組み立てする際の再現性等の問題から、実際に最終的に組み付けられた端面リップシール９００のシール取り付け長Ｌ１を厳密に設計基準値とするには限界があった。
【００１３】
本発明はこのような課題に鑑みてなされたものであって、その目的は、簡単な工程により、シール取り付け長が高精度に設計基準値となるようにシャフトシール装置を組み付けることのできるシャフトシール装置の組み付け方法を提供することにある。
また、本発明の他の目的は、簡単な工程によりシール取り付け長が高精度に設計基準値となるように組み付けることができるシャフトシール装置を提供することにある。
【課題を解決するための手段】
【００１４】
前記課題を解決するために、請求項１に係る本発明のシャフトシール装置の組み付け方法は、シャフトが通過するハウジングに固定される固定環と、前記シャフトに固定される端面シールとを有し、前記固定環の摺動面に前記端面シールの突出リップを摺動可能に密接させることにより前記シャフトに沿って被密封流体をシールするシャフトシール装置の組み付け方法であって、前記端面シールを前記シャフトの所定位置に設置するとともに、当該シャフト上において前記固定環が組み付けられる正規位置から前記端面シール側に所定の調整距離だけ離れた固定環押し込み位置を規定するスペーサーを前記シャフトに設置する第１工程と、前記固定環を前記ハウジングに挿入し、前記固定環の摺動面が前記スペーサーに突き当たるまで前記固定環を前記端面シール方向に押し込む第２工程と、前記固定環を前記調整距離だけ前記端面シールから離れる方向に戻す第３工程とを有するものである。
【００１５】
また、請求項２に係る本発明のシャフトシール装置の組み付け方法は、前記第２工程においては、前記ハウジングに対して前記シャフトの軸方向に移動及び固定が自在なシール固定部品を介して、前記固定環を前記端面シール方向に押し込み、前記第３工程においては、前記シール固定部品を前記調整距離だけ前記端面シールから離れる方向に戻した後、固定側シール部品を前記端面シールから離れる方向で前記シール固定部品に当接するまで押し戻すことにより、前記固定環を前記調整距離だけ前記端面シールから離れる方向に戻すものである。
【００１６】
また、請求項３に係る本発明のシャフトシール装置の組み付け方法は、前記第３工程においては、前記被密封流体が収容される空間内の圧力を上げることにより、前記摺動面に印加される圧力荷重により前記固定側シール部品を前記シール固定部品に当接するまで押し戻すものである。
【００１７】
また、請求項４に係る本発明のシャフトシール装置の組み付け方法は、前記スペーサーは、前記シャフトの所定の基準面と前記固定環押し込み位置との距離に相当する長さを有し、前記端面シールの外周に嵌合する環状のスペーサーであって、前記第１工程においては、前記端面シール及び前記スペーサーを、順次、前記シャフトに嵌合させ、当該シャフトの前記基準面に突き当たるまで移動させることにより、あるいは、前記スペーサーを前記端面シールの外周に嵌合して一体化した前記端面シール及び前記スペーサーを、前記シャフトに嵌合させ、当該シャフトの前記基準面に突き当たるまで移動させることにより、前記端面シール及び前記スペーサーを前記シャフトに設置するものである。
【００１８】
また、請求項５に係る本発明のシャフトシール装置の組み付け方法は、前記スペーサーは前記端面シールの一部を突出させることにより当該端面シールと一体的に形成されたものであって、前記第１工程においては、前記スペーサーが一体的に形成された前記端面シールを、前記シャフトに嵌合させ、当該シャフトの所定の基準面に突き当たるまで移動させることにより、前記端面シール及び前記スペーサーを前記シャフトに設置するものである。
【００１９】
また、請求項６に係る本発明のシャフトシール装置は、シャフト及び当該シャフトを通過させるハウジングに設置されて、前記シャフトに沿って被密封流体をシールするシャフトシール装置であって、前記ハウジングに密封固定される固定環と、前記シャフトに密封固定され、前記固定環の摺動面に突出リップを摺動可能に密接させる端面シールと、前記シャフト上において前記固定環が組み付けられる正規位置から前記端面シール側に所定の調整距離だけ離れた固定環押し込み位置を規定するスペーサーとを有するものである。
【００２０】
また、請求項７に係る本発明のシャフトシール装置は、前記スペーサーは、前記シャフトの所定の基準面と、前記固定環押し込み位置との距離に相当する長さを有し、前記端面シールの外周に嵌合する環状のスペーサーであることを特徴とするものである。
【００２１】
また、請求項８に係る本発明のシャフトシール装置は、前記スペーサーは、前記端面シールと一体的に形成されていることを特徴とするものである。
【００２２】
また、請求項９に係る本発明のシャフトシール装置は、前記スペーサーは、前記摺動面と対向する側の環状の端面に切り欠き部が形成されていることを特徴とするものである。
【００２３】
また、請求項１０に係る本発明のシャフトシール装置は、前記ハウジングに対して前記シャフトの軸方向に移動及び固定が自在なシール固定部品であって、当該シャフトシール装置の組み付け時に前記固定環を前記固定環押し込み位置まで前記ハウジングに押し込み、その後前記調整距離だけ前記端面シールから離れる方向に戻されて前記固定環の設置位置を規定するシール固定部品をさらに有するものである。
【００２４】
また、請求項１１に係る本発明のシャフトシール装置は、前記シール固定部品は、内側に係合切り欠き部を有することを特徴とするものである。
【００２５】
また、請求項１２に係る本発明のシャフトシール装置は、前記シール固定部品は、少なくとも前記シャフトの軸方向の両端部において、前記ハウジングの内面に嵌合されるように形成されていることを特徴とするものである。
【発明の効果】
【００２６】
請求項１に係る本発明のシャフトシール装置の組み付け方法によれば、固定環を一旦スペーサに突き当たる位置まで押し込むことにより、固定環の位置を、シャフト上の位置を基準として管理することができる。そして、その後、これを所定の微小な調整距離だけ戻して設置しているので、端面シールとの相対的な位置関係、すなわち端面シールとの間隔を、高精度に所望の間隔とすることができる。すなわち、簡単な工程により、シール取り付け長が高精度に設計基準値となるようにシャフトシール装置を組み付けることができる。
【００２７】
また、請求項２に係る本発明のシャフトシール装置の組み付け方法によれば、固定環のスペーサーまでの押し込み、及び、固定環の所定の微小調整距離の押し戻しを、シール固定部品を移動させることにより実現することができる。すなわち、簡単な工程により、前述したような高精度なシャフトシール装置の組み付けが可能となる。
【００２８】
また、請求項３に係る本発明のシャフトシール装置の組み付け方法によれば、装置内の圧力を上げることにより固定環を固定側シール部品方向に戻しているため、ハウジングに嵌合した固定環を、簡単な工程により適切に押し戻すことができる。
【００２９】
また、請求項４に係る本発明のシャフトシール装置の組み付け方法によれば、スペーサーの長さを適切に選択することができ、これにより固定環の戻し量、位置調整量を適切な量とすることができるので、シール性能を適切に維持しながら、簡単かつわずかな調整作業により、前述したような高精度なシャフトシール装置の組み付けが可能となる。
【００３０】
また、請求項５に係る本発明のシャフトシール装置の組み付け方法によれば、組み付ける部品の数が減るので工程を簡略化することができ、より一層効率よく簡単な工程により、前述したような高精度なシャフトシール装置の組み付けが可能となる。
【００３１】
また、請求項６に係る本発明によれば、固定環と端面シールとの相対的な位置関係、すなわち固定環と端面シールとの間隔を、高精度に所望の間隔とすることができ、従って簡単な工程により、シール取り付け長が高精度に設計基準値となるように組み付けることのできるシャフトシール装置を提供することができる。
【００３２】
また、請求項７に係る本発明によれば、スペーサーの長さを適切に選択することができ、これにより固定環の戻し量、位置調整量を適切な量とすることができるので、シール性能を適切に維持しながら、簡単かつわずかな調整作業により、前述したような高精度な組み付けが可能なシャフトシール装置を提供することができる。
【００３３】
また、請求項８に係る本発明によれば、部品の数がより少なく、よってより簡単な工程で高精度に組み付けが可能なシャフトシール装置を提供することができる。
【００３４】
また、請求項９に係る本発明によれば、摺動面の潤滑・冷却性能と強度のバランスが適切なシャフトシール装置を提供することができる。
【００３５】
また、請求項１０に係る本発明によれば、固定環のスペーサーまでの押し込み、及び、固定環の所定の微小調整距離の押し戻しを、シール固定部品の移動により、より簡単な工程で高精度に行うことのできるシャフトシール装置を提供することができる。
【００３６】
また、請求項１１に係る本発明によれば、シール固定部品の移動や、固定環の位置の検証を簡単に行うことのできるシャフトシール装置を提供することができる。
【００３７】
また、請求項１２に係る本発明によれば、シール固定部品により固定環を適切に、すなわち軸方向に垂直に適切に押し込むことができ、シール性能の高いシャフトシール装置を提供することができる。
【発明を実施するための最良の形態】
【００３８】
本発明の実施形態について、図１〜図７を参照して説明する。
図１は、本実施形態を示すシャフトシール装置１００の半断面図である。
本実施形態のシャフトシール装置１００は、回転装置のシャフト１０２に取り付けられて、シャフト１０２が通過するハウジング１０１内において、シャフト１０２に沿って被密封流体Ｑと大気空間Ａとをシールするものである。
【００３９】
図１に示すように、シャフトシール装置１００は、回転装置のハウジング１０１に取り付けられる固定側シール部品１２０及び固定環１０３、及び、シャフト１０２に密接嵌合されて一体で回転するゴム端面シール１０４を有する。そしてシャフトシール装置１００は、ゴム端面シール１０４に形成される突出リップ１０５が固定環１０３の端面たる摺動面１０３ａに対して外径方向へ傾斜して密接し、これにより、突出リップ１０５の外周部に存在する被密封流体Ｑが、固定環１０３より内径側、背面側の大気空間Ａへ漏洩するのが防止される構成となっている。
また、本実施形態のシャフトシール装置１００は、さらに、スペーサー１０７及びシール固定部品１０８を有し、これらにより、固定環１０３及びゴム端面シール１０４を、設計基準値通りに厳密かつ容易にハウジング１０１及びシャフト１０２に組み付けることができる構成となっている。
【００４０】
ゴム端面シール１０４は、図示のごとく、断面がＬ形で、内部に補強環１０９が埋設され、その周囲をゴム材が被覆した構成である。ゴム端面シール１０４の端部の、固定環１０３の摺動面１０３ａと対向する位置には、断面がＶ形状に外方へ延在した突出リップ１０５が形成されている。突出リップ１０５は、固定環１０３の摺動面１０３ａに向かって発散するように外方へ傾斜しており、突出リップ１０５の先端角部である密接面は、対向する摺動面１０３ａに弾性接触してシールする。この突出リップ１０５は外周側から被密封流体の圧力を受けると傾斜角度を水平方向へ小さくなるように変形して摺動面１０３ａに圧接するように構成されている。
【００４１】
ゴム端面シール１０４の表面ゴム材の材質は、 被密封流体の種類により選定され、例えばニトリルゴム（ＮＢＲ）、水素添加ニトリルゴム（ＨＮＢＲ）、アクリルゴム（ＡＣＭ）、シリコンゴム（ＶＭＱ）、フッ素ゴム（ＦＫＭ）等が使用される。
また、ゴム端面シール１０４の補強環１０９は、例えば鉄、鋼、ステンレス鋼、アルミニウム、エンジニアプラチック等により形成され、切削加工、プレス加工、又はモールド成形により製作される。
【００４２】
固定環１０３は、固定側シール部品１２０を介してハウジング１０１に設置され、ゴム端面シール１０４側の端面がゴム端面シール１０４の突出リップ１０５が圧接される摺動面１０３ａとして形成されている部材である。固定環１０３は、例えば超硬合金、炭化珪素、セラミックス、鋳鉄、エンジニアプラスチック等の、ゴム端面シール１０４の表面ゴム材よりも硬質の材料により形成される。なお、潤滑条件が厳しい回転装置においては、自己潤滑性に優れるカーボン、又はカーボンと硬質材の複合材を選定することも可能である。
【００４３】
固定側シール部品１２０は、その内周部のシャフト１０２の端部側（ゴム端面シール１０４の遠位側）にシールリップ１２４を有するとともに、内周部のゴム端面シール１０４側に固定環１０３を保持する。
固定側シール部品１２０は、第１パッキン１２１、第１パッキン１２１を介してハウジング１０１に固定される円環状の補強ケース１２２、補強ケース１２２の内周側で補強ケース１２２とシールリップ１２４及び固定環１０３との間に介在される第２パッキン１２３、及び、シールリップ１２４を有する。
第１パッキン１２１は、補強ケース１２２とハウジング１０１との間から被密封流体が漏洩しないように、補強ケース１２２とハウジング１０１との間をシールしている。
また、第２パッキン１２３は、固定環１０３の外周面と補強ケース１２２の内周面との間を密封し、さらに、シールリップ１２４の固定環１０３側の端面と、補強ケース１２２の支持部１２６の端面との間を密封して被密封流体が漏洩しないようにしている。
【００４４】
シールリップ１２４は、ＰＴＦＥ（ポリテトラフルオロエチレン）等の低摩擦係数の性質を有する合成樹脂により形成されている。このシールリップ１２４は、成形時の原形がリング板に形成されて、さらにリング板を曲げ加工して外周が固定側シール部品１２０による保持部として形成されると共に、内周が軸方向を成す筒状に形成されたリップに構成されている。そして、このリップのシール接合面１２４ａの先端内周面が、シャフト１０２とシャープに密接してシールする。
【００４５】
スペーサー１０７は、シャフトシール装置１００の組み付け時において、ハウジング１０１に装着される固定環１０３の位置をシャフト１０２の位置を基準として管理するための部材であって、最初にハウジング１０１に嵌合された固定環１０３の位置を、シャフト１０２のシャフト段差端面１０２ａから所定の位置に規定するための部材である。
本実施形態において、スペーサー１０７は、ゴム端面シール１０４の外周に嵌合することで、ゴム端面シール１０４と一体的に組み立てられた構成である。
【００４６】
図２に示すように、スペーサー１０７には、固定環１０３の摺動面１０３ａ側の端面に切り欠き１０７ａが形成されている。すなわち、スペーサー１０７の摺動面１０３ａ側の端面は、切り欠き１０７ａ及び突起部１０７ｂが交互に形成された形状である。
スペーサー１０７の切り欠き１０７ａは、固定環１０３の摺動面１０３ａの潤滑・冷却を考えると、寸法は大きいこと、すなわち被密封流体Ｑ及び潤滑液に対する開口面積が大きいことが好ましいが、反面、切り欠き１０７ａの寸法を大きくし過ぎると強度が低下する。強度が低下すると、シール組み付け時にシャフト段差端面１０２ａと固定環１０３の摺動面１０３ａとに挟まれて圧縮される際に、容易に変形してしまい、シール取り付け長を規定する部品としての機能を果たせない。従って、スペーサー１０７の切り欠き１０７ａ及び突起部１０７ｂの形態は、摺動面の潤滑・冷却性能と強度のバランスを考慮して適切に決定する必要がある。
本実施形態において、スペーサー１０７の材質はステンレス鋼で、外径はφ２１ｍｍであり、その固定環１０３側端部周縁を８等配し、その各等配区間に幅２．７ｍｍで高さ１．５ｍｍの突起部１０７ｂを形成した構成である。
【００４７】
なお、本実施形態において、スペーサー１０７はステンレス鋼により構成したが、その他の材料で構成してもよい。但し、前述したように、スペーサー１０７は圧縮強度に優れる材質である必要があり、従って、例えば鉄、炭素鋼、鋳鉄、アルミニウム、エンジニアプラチック等が使用され、切削加工、プレス加工又はモールド成形により製作される。
また、スペーサー１０７は、ゴム端面シール１０４と一体で回転するため、軽量であることが好ましい。そのためには、スペーサー１０７の本体に穴あけ加工を施したような構成であってもよい。
【００４８】
シール固定部品１０８は、固定環１０３及び固定側シール部品１２０をシャフト１０２に沿ってハウジング１０１内に挿入するとともにその位置を規定するための部材であり、ハウジング１０１に対して軸方向の移動及び固定が自在に可能な構成の部材である。本実施形態においてシール固定部品１０８は、図１にその断面形状を示すように、両端部を除く外周面にねじ溝１０８ａが形成されている円筒部材である。ハウジング１０１のシール固定部品１０８が挿入される部分の内周面にもねじ溝１０１ａが形成されており、シール固定部品１０８は、これらのねじ溝１０１ａ及び１０８ａを係合させてハウジング１０１に挿入されることにより、ハウジング１０１の内部をシャフト１０２に沿って移動可能であるとともに、所望の位置に精度よく固定される。
【００４９】
シール固定部品１０８には、図３にその平面形状を示すように、その内径側に係合切り欠き１０８ｃが形成されている。シャフトシール１００組み付けの際、係合切り欠き１０８ｃに図示せぬ専用工具を係合させて、シール固定部品１０８をハウジング１０１にねじ込んで、シール固定部品１０８をハウジング１０１に取り付ける。なお、本実施形態において係合切り欠き１０８ｃは３等配に形成されているが、４等配、６等配等、任意の等配で任意の形状でよい。
【００５０】
また、この係合切り欠き１０８ｃは、生産管理工程においてシール固定部品１０８あるいは固定側シール部品１２０の位置を計測するためにも使用される。例えば計測器のプローブを係合切り欠き１０８ｃの隙間を通して固定側シール部品１２０の背面に突き当て、ハウジング１０１の任意の端面からシール固定部品１０８の固定端面１０８ｄ（図１参照）までの距離Ｌ３を計測することで、シール取り付け位置（あるいはシール取り付け長Ｌ１）を確認することができる。なお、計測器としてはレーザー変位計を使用することも可能である。
【００５１】
シール固定部品１０８の両端には、ハウジング１０１の内径に嵌合するように形成された嵌め合い部１０８ｂ（図１参照）が設けられている。これにより、ハウジング１０１に対するシール固定部品１０８の幾何公差、例えば固定端面１０８ｄの直角度の管理が容易となる。
【００５２】
このように、本実施形態のシャフトシール装置１００は、ゴム端面シール１０４の組み付け基準面であるシャフト段差端面１０２ａと固定環１０３との間にスペーサー１０７が具備され、また、固定環１０３及び固定側シール部品１２０が、ハウジング１０１に対して軸方向の移動及び固定が自在なシール固定部品１０８により固定される構成となっている。
そして、そのスペーサー１０７の軸方向の寸法Ｌ２は、シール取り付け長Ｌ１よりも若干小さく形成してある。
なお、シール取り付け長Ｌ１は、回転装置に対してシャフトシール装置１００を正規の位置に取り付けた状態において、固定環１０３の摺動面１０３ａからシャフト段差端面１０２ａまでの軸方向の寸法である。
【００５３】
次に、本発明に係るシャフトシール装置１００の組み付け方法について説明する。
まず、図４に示すように、スペーサー１０７をゴム端面シール１０４の外周に嵌合させて一体化する。そして、シャフト１０２とハウジング１０１の組み立てが完了した回転装置に対して、一体化されたゴム端面シール１０４とスペーサー１０７を、圧入治具を用いて図示のごとくシャフト１０２の軸端側からハウジング１０１内に挿入し、シャフト１０２に嵌合させると共にシャフト段差端面１０２ａに突き当てる。
【００５４】
次に、図５に示すように、固定環１０３及び固定側シール部品１２０を、シール固定部品１０８を介して、すなわちシール固定部品１０８をねじ込むことによりにより、ハウジング１０１に圧入し、固定環１０３の摺動面１０３ａをスペーサー１０７の突起部１０７ｂに規定の荷重で突き当てる。なお、本実施形態において、固定環１０３及び固定側シール部品１２０の圧入荷重は、３．０ｋＮとする。また、この圧入荷重は、シール固定部品１０８を締め付けるトルクにより管理する。
【００５５】
なお、この状態において、固定環１０３の摺動面１０３ａからシャフト段差端面１０２ａまでの距離はスペーサー１０７の軸方向の寸法Ｌ２によって規定され、固定環１０３及びシール固定部品１０８は、正規の取り付け位置（シール取り付け長Ｌ１）よりも所定の微小距離（調整距離）だけシャフト段差端面１０２ａ寄りに位置することになる。
なお、この時には、スペーサー１０７の圧縮変形の量（固定環１０３を３．０ｋＮで圧入した場合、本実施形態のスペーサー１０７は０．２ｍｍ変形される）をも考慮して、摺動面１０３ａとシャフト段差端面１０２ａとの距離Ｌ２を規定される。
また、これにより、ゴム端面シール１０４の突出リップ１０５も、通常の状態よりも圧縮変形されている。
【００５６】
続いて、図６に示すように、シール固定部品１０８をシャフト１０２の軸端方向に規定の距離（調整距離）分戻して、シール固定部品１０８を正規の取り付け位置にセットする。前述したように、シール固定部品１０８とハウジング１０１とはねじにより係合されているので、シール固定部品１０８を回転させることにより、その位置を微調整することができ、これによりシール固定部品１０８を所定の微小距離（調整距離）戻して正規位置にセットする。本実施形態においては、シール固定部品１０８を０．６ｍｍだけ戻す。また、その戻し量は、実際の作業においてはねじの回転数に置き換えることで管理する。
なお、シール固定部品１０８を戻した時点では、固定環１０３は固定側シール部品１２０を介してハウジング１０１に嵌合保持されているので、スペーサー１０７の突起部１０７ｂに突き当たった位置に留まったままである。
【００５７】
そして最後に、図７に示すように、回転装置の機内圧力を所定の圧力まで上げ、固定環１０３の摺動面１０３ａにかかる圧力荷重により固定側シール部品１２０をシャフト１０２の軸端方向に押し戻し、シール固定部品１０８の固定端面１０８ｄに当接させる。これにより、固定環１０３は正規の取り付け位置にセットされる。なお、固定環１０３を軸端側に戻すための機内圧力は、回転装置の仕様圧力（耐圧）以下であることが望ましい。本実施形態においては、前述の機内圧力は１０．０ＭＰａであり、回転装置の仕様圧力（耐圧）以下である。なお、固定環１０３の外径を大きくして受圧面積を拡大することで、固定環１０３を軸端側に戻すために必要な機内圧力を低減することができ、固定環１０３の形状を適切に設計することで、回転装置の仕様圧力以下で適切に固定環１０３が戻される圧力を規定することができる。
本実施形態においては、シール固定部品１０８を０．６ｍｍだけ戻したが、スペーサー１０７の０．２ｍｍの変形も戻るので、固定環１０３の摺動面１０３ａとスペーサー１０７の突起部１０７ｂの先端との間は、０．４ｍｍとなる。
【００５８】
このように、本実施形態のシャフトシール装置１００の組み付け方法によれば、シャフトシール装置１００の固定環１０３及びゴム端面シール１０４のシール取り付け長Ｌ１を設計基準値通りに厳密かつ容易に管理でき、シールの密封性能及び信頼性を大幅に向上させることができる。
すなわち、本発明に係るシャフトシール装置１００では、ゴム端面シール１０４及び固定環１０３の取り付け基準が、共にシャフト段差端面１０２ａに統一されていることから、ハウジング１０１と固定環１０３との相対位置、及びハウジング１０１とシャフト１０２の相対位置を管理する必要がない。換言すると、ゴム端面シール１０４及び固定環１０３のシール取り付け長Ｌ１が、回転装置のハウジング１０１とシャフト１０２との取り合い寸法の公差（寸法のばらつき）に影響されないと言える。従って、従来技術のように回転装置のハウジング９０１とシャフト９０２（図９参照）との取り合い寸法（相対位置）を予め計測する必要がなく、また、前述寸法の設計基準値との差異を修正するために、例えばシム、金属ワッシャー等の別部品を使用する必要もない。
【００５９】
なお、本実施形態は本発明の理解を容易にするために記載されたものであって、本発明を何ら限定するものではない。本実施形態に開示された各要素は、本発明の技術的範囲に属する全ての設計変更や均等物をも含み、また任意好適な種々の改変が可能である。
【００６０】
例えば、前述した実施形態においてスペーサー１０７は、ゴム端面シール１０４の外周に嵌合されてゴム端面シール１０４と一体的な構成とされてシャフト１０２に装着された。しかしながら、そもそもスペーサーをゴム端面シールと一体的に形成してもよい。そのような構成のゴム端面シール及びスペーサーの構成を有するシャフトシールを図８に示す。
【００６１】
図８に示すシャフトシール２００において、ゴム端面シール２０４は、固定環１０３の摺動面１０３ａに対向する端面（突出リップ２０５が形成されている側の端面）の周縁部が、固定環１０３の方向に突出した構成とされ、この突出部２０７がスペーサー１０７の作用を有する構成となっている。すなわち、このような構成において、ゴム端面シール２０４の、突出部２０７の先端までの長さＬ２がスペーサー１０７の長さと同じになるように構成され、組み付け工程においては、固定環１０３が、その摺動面１０３ａが突出部２０７に突き当たるまでシャフト１０２に沿って挿入され、その後所定の微小距離引き戻されて正規の位置に設置される。
【００６２】
図８に示すゴム端面シール２０４の周縁の突出部２０７は、ゴム端面シール２０４に内在される補強環２０９をこのような突出した形状にプレス加工し、この補強環２０９に沿ってゴム材２１０を形成されることにより形成される。この際、図示のごとく、突出部２０７の先端のゴム２０７ａの肉厚は他の部分と比べて十分に薄く形成する。このように構成しておくことにより、組み付け工程において、ゴム端面シール２０４が固定環１０３により軸方向に圧縮される際のゴム端面シール２０４の軸方向寸法Ｌ２の変化量を抑えることができ、正確に固定環１０３及びゴム端面シール２０４を組み付けることができる。
【００６３】
なお、組み付け工程において固定環１０３によりゴム端面シール２０４が圧縮される際の突出部２０７の変形を考慮して、ゴム端面シール２０４の突出部２０７までの長さＬ２を設定しておくようにしてもよい。
なお、このような構成のゴム端面シール２０４においても、その突出部２０７に、図２に示した本実施形態のスペーサー１０７のような摺動面１０３ａの潤滑及び冷却を目的とする切り欠き１０７ａを設けることもできる。
【００６４】
また、前述した実施形態においては、ゴム端面シール１０４側、すなわちシャフト１０２側にスペーサー１０７を設けた構成であったが、固定環１０３側、すなわちハウジング１０１側にスペーサーを設けるような構成であってもよい。その場合、そのスペーサーは、固定環１０３に別部材たるスペーサーが装着されて構成されてもよいし、固定環１０３の一部（例えば、ゴム端面シールの周縁に対向する周縁部）を突出させて固定環１０３と一体的に構成されてもよい。
【００６５】
また、前述した実施形態においては、固定環１０３の摺動面１０３ａの潤滑及び冷却のために、スペーサー１０７に切り欠き１０７ａを設けた。しかしながら、固定環１０３の摺動面１０３ａに同様の切り欠き、溝、開口等を設けるようにしてもよい。
【産業上の利用分野】
【００６６】
本発明のシャフトシール装置及びその組み付け方法は、空調機用の圧縮機、ポンプ、原動機等の回転装置に好適に適用可能である。また、ハウジングとシャフトとの間の被密封流体をシールする装置であれば、任意の装置に対して適用することができる。
【図面の簡単な説明】
【００６７】
【図１】図１は、本発明の一実施形態のシャフトシール装置の構成を示す図である。
【図２】図２は、図１に示したシャフトシール装置のスペーサーの構造を示す図である。
【図３】図３は、図１に示したシャフトシール装置のシール固定部品の構造を示す図である。
【図４】図４は、図１に示したシャフトシール装置の組み付け方法を説明するための第１の図である。
【図５】図５は、図１に示したシャフトシール装置の組み付け方法を説明するための第２の図である。
【図６】図６は、図１に示したシャフトシール装置の組み付け方法を説明するための第３の図である。
【図７】図７は、図１に示したシャフトシール装置の組み付け方法を説明するための第４の図である。
【図８】図８は、本発明に係るシャフトシール装置のゴム端面シール及びスペーサーの他の実施形態を示す図である。
【図９】図９は、従来のシャフトシール装置の構成を示す図である。
【符号の説明】
【００６８】
１００…シャフトシール装置
１０１…ハウジング
１０２…シャフト
１０３…固定環
１０４…ゴム端面シール
１０５…突出リップ
１０７…スペーサー
１０９…補強環
１０８…シール固定部品
１２０…固定側シール部品
１２１…第１パッキン
１２２…補強ケース
１２３…第２パッキン
１２４…シールリップ
１２５，１２６…支持部
２００…シャフトシール装置
２０４…ゴム端面シール
２０５…突出リップ
２０７…突出部
２０９…補強環
２１０…ゴム材
９００…端面リップシール（シャフトシール装置）
９０１…ハウジング
９０２…シャフト
９０３…固定環（固定側密封環）
９０４…ゴム端面シール
９０５…突出リップ
９０６…固定側シール
９０７，９０８…パッキン
９０９…補強ケース
９１０…シールリップ
【図１】
2008014418.tif 000003
【図２】
2008014418.tif 000004
【図３】
2008014418.tif 000005
【図４】
2008014418.tif 000006
【図５】
2008014418.tif 000007
【図６】
2008014418.tif 000008
【図７】
2008014418.tif 000009
【図８】
2008014418.tif 000010
【図９】
2008014418.tif 000011